(57)【要約】【課題】  簡易に容器内の隔室から溶液を移動させることができる低コストの薬液容器を提供することにある。【解決手段】  薬液容器においては、プレート３２上に可撓性を有するシート状部材３４が剥離不能に１次シールされて膨出可能な第１の隔室及びこの第１の隔室に開口部を介して連通する第１の通路が区画形成されている。開口部を塞ぐように第１のシール部２０が剥離可能に２次シールされ、第１の隔室を区画して第１の隔室と第１の通路との連通を遮断している。この第１のシール部２０は、第１の隔室内の内部圧力の増加によって剥離され、第１の隔室と第１の通路とが連通される。【選択図】図１
2018057844.tif 000002
【特許請求の範囲】
【請求項１】
プレートと、
可撓性を有し、前記プレート上に強固に接着された接着領域を有するシート状部材であって、この接着領域が前記プレート上で膨出可能な第１の隔室と、前記第１の隔室の開口部を介して連通する流出路とをそれぞれ区画しているシート状部材と、
前記第１の隔室内であって、前記開口部から前記第１の隔室に向けて突出する領域を残し、前記シート状部材により前記開口部を塞ぐように前記接着領域に比べて弱く接着され、前記第１の隔室と前記流出路との連通を遮断する第１のシール部とを備え、
前記第１の隔室の内圧上昇により前記第１のシール部を剥離することで、前記第１の隔室が膨出することを特徴とする薬液容器。
【請求項２】
前記プレート上に前記シート状部材を剥離不能に強固に接着した接着領域で前記プレート上に区画形成した膨出可能な第２の隔室であって、前記流出路を介して前記第１の隔室に連通される第２の隔室と、
を更に具備することを特徴とする請求項１の薬液容器。
【請求項３】
前記開口部は、前記流出路の上流側に配置され、この開口部は、前記流出路の通路の下流側通路幅よりも広いことを特徴とする請求項１の薬液容器。
【請求項４】
前記第１の隔室は、前記シート部材が膨出されている膨出領域及び前記膨出可能に変形されて前記プレートに接している変形領域を含み、前記第１のシール部がこの変形領域に形成されていることを特徴とする請求項１の薬液容器。
【請求項５】
前記第１のシール部は、帯状に形成され、その両端が前記開口部に連接されていることを特徴とする請求項１の薬液容器。
【請求項６】
前記第１のシール部は、帯状に形成され、１以上の先鋭部或いは丸みを有する先頭部を有することを特徴とする請求項１の薬液容器。
【請求項７】
前記第１の隔室に連通するように、前記シート状部材を剥離不能に前記プレート上に強固に接着された接着領域で区画された第２の通路と、
前記第２の通路を介して前記第１の隔室に内容物を供給する為の供給口部と、
この供給口部を開閉可能に塞ぐ第１の閉塞蓋と、
前記第２通路に連通され、前記第１の隔室内の前記内容物を外部に排出する排出口部と、
この排出口部を開閉可能に塞ぐ第２の閉塞蓋と、
を具備し、前記第１及び第２閉塞蓋で供給口部及び排出口部を閉塞して前記第１隔室、前記第１及び第２通路を含む容器内空間を密閉することを特徴とする請求項１の薬液容器。
【請求項８】
プレートと、
可撓性を有し、前記プレート上に強固に接着された接着領域を有するシート状部材であって、この接着領域が前記プレート上で膨出可能な第１の隔室と、前記第１の隔室の開口部を介して連通する流出路とをそれぞれ区画しているシート状部材と、
前記第１の隔室内であって、前記開口部から前記第１の隔室に向けて突出する領域を残し、前記シート状部材により前記開口部を塞ぐように前記接着領域に比べて弱く接着され、前記第１の隔室と前記流出路との連通を遮断する第１のシール部とを備え、
前記第１の隔室の内圧上昇により前記第１のシール部を剥離することで、前記第１の隔室が膨出する密閉型薬液容器と、
当該密閉型薬液容器が装着され前記第１の隔室を外部から押圧する押圧部材及び当該押圧部材を作動させて前記第１の隔室内圧力高めて前記第１のシール部を剥離し、前記第１の隔室内の内容物を前記第１の通路に供給する作動部と、
を具備することを特徴とする検査装置。
【請求項９】
プレートと、
可撓性を有し、前記プレート上に強固に接着された接着領域を有するシート状部材と、
前記接着領域によって前記プレート上に区画形成された膨出可能な第１の隔室であって、外部から生物組織及び溶液を収納可能な第１の隔室と、
前記接着領域によって前記プレート上に区画形成された膨出可能な第２の隔室であって、吸着剤が収納されている第２の隔室と、
前記接着領域によって前記第１及び第２隔室間に配置されるように前記プレート上に区画形成され、前記吸着剤を濡らして吸着作用を活性化する第１溶液が収納された第３の隔室と、
前記第３の隔室に開口され、前記第１の隔室に第１の開口部を介して連通するように前記接着領域によって区画された第１の通路と、
前記第２の隔室に開口され、前記第３の隔室に第２の開口部を介して連通するように前記接着領域によって区画された第２の通路と、
前記第１の開口部を塞ぐように剥離可能に前記接着領域に比べて弱く接着され、前記第１の隔室を区画して前記第１の隔室と前記第１の通路との連通を遮断する第１のシール部と、
前記第２の開口部を塞ぐように剥離可能に前記接着領域に比べて弱く接着され、前記第２の隔室を区画して前記第２の隔室と前記第２の通路との連通を遮断する第２のシール部と、
を具備することを特徴とする核酸抽出容器。
【請求項１０】
前記第１の隔室は、前記シート部材が膨出されている第１の膨出領域及び前記膨出可能に変形されて前記プレートに接している第１の変形領域を含み、前記第１のシール部がこの変形領域に形成され、
前記第３の隔室は、前記シート部材が膨出されている第２の膨出領域及び前記膨出可能に変形されて前記プレートに接している第２の変形領域を含み、前記第２のシール部がこの第２の変形領域に形成されていることを特徴とする請求項９の核酸抽出容器。
【請求項１１】
前記第１及び第２のシール部は、帯状に形成され、その両端が夫々前記第１及び第２の開口部に連接されていることを特徴とする請求項９の核酸抽出容器。
【請求項１２】
前記第１の隔室に連通するように前記接着領域によって前記プレート上に区画形成された第３の通路と、
前記第３の通路を介して前記第１の隔室に生物組織及び溶液を供給する為の供給口部と、
この供給口部を開閉可能に塞ぐ第１の閉塞蓋と、
前記第２の隔室に連通され、前記第２の隔室内の排出溶液を外部に排出する排出口部と、
この排出口部を開閉可能に塞ぐ第２の閉塞蓋と、
を具備し、前記第１及び第２閉塞蓋で供給口部及び排出口部を閉塞して前記第１及び第２の隔室、前記第１、第２及び第３通路を含む容器内空間を密閉することを特徴とする請求項９の核酸抽出容器。
【請求項１３】
プレートと、
可撓性を有し、前記プレート上に強固に接着された接着領域を有するシート状部材と、
前記接着領域によって前記プレート上に区画形成された膨出可能な第１の隔室であって、生物組織及び第１溶液が収納されている第１の隔室と、
前記接着領域によって前記プレート上に区画形成された膨出可能な第２の隔室であって、吸着剤が収納されている第２の隔室と、
前記接着領域によって前記第１及び第２隔室間に配置され前記プレート上に区画形成され、前記吸着剤を濡らして吸着作用を活性化する第２溶液が収納されている第３の隔室と、
前記第３の隔室に開口され、前記第１の隔室に第１の開口部を介して連通するように前記接着領域によって区画された第１の通路と、
前記第２の隔室に開口され、前記第３の隔室に第２の開口部を介して連通するように前記接着領域によって区画された第２の通路と、
前記第１の開口部を塞ぐように剥離可能に前記接着領域に比べて弱く接着され、前記第１の隔室を区画して前記第１の隔室と前記第１の通路との連通を遮断する第１のシール部と、
前記第２の開口部を塞ぐように剥離可能に前記接着領域に比べて弱く接着され、前記第２の隔室を区画して前記第２の隔室と前記第２の通路との連通を遮断する第２のシール部と、
を具備する核酸抽出容器と、
当該核酸抽出容器が装着され前記第１及び第３の隔室を夫々個別に外部から押圧する第１及び第２押圧部材と、
この第２押圧部材を作動させて前記第３の隔室内圧力高めて前記第２のシール部を剥離し、前記第３の隔室内の第２溶液を前記第２の通路を介して前記第２の隔室に供給し、前記吸着剤を濡らして吸着作用を活性化させる第１作動部と、
この第１押圧部材を作動させて前記第１の隔室内圧力高めて前記第１のシール部を剥離し、前記第１の隔室内の生物組織内の核酸及びゴミが溶解されている第１溶液を前記第１の通路、前記第３の隔室及び前記第２通路を介して前記第２の隔室に供給し、前記吸着剤に前記ゴミを吸着させ、核酸が溶解している第１溶液を精製して外部に排出させる第１作動部と、
から構成されることを特徴とする核酸抽出装置。
【請求項１４】
プレートと、
可撓性を有し、前記プレート上に強固に接着された接着領域を有するシート状部材と、
前記接着領域によって前記プレート上に区画形成された膨出可能な第１の隔室であって、生物組織及び第１溶液が収納されている第１の隔室と、
前記接着領域によって前記プレート上に区画形成された膨出可能な第２の隔室であって、吸着剤が収納されている第２の隔室と、
前記接着領域によって前記第１及び第２隔室間に配置されように前記プレート上に区画形成され、前記吸着剤を濡らして吸着作用を活性化する第２溶液が収納されている第３の隔室と、
前記第３の隔室に開口され、前記第１の隔室に第１の開口部を介して連通するように前記接着領域によって区画された第１の通路と、
前記第２の隔室に開口され、前記第３の隔室に第２の開口部を介して連通するように前記接着領域によって区画された第２の通路と、
前記第１の開口部を塞ぐように剥離可能に前記接着領域に比べて弱く接着され、前記第１の隔室を区画して前記第１の隔室と前記第１の通路との連通を遮断する第１のシール部と、
前記第２の開口部を塞ぐように剥離可能に前記接着領域に比べて弱く接着され、前記第２の隔室を区画して前記第２の隔室と前記第２の通路との連通を遮断する第２のシール部と、
を具備する核酸抽出容器を利用して核酸を抽出する方法において、
前記第３の隔室を外部から押圧し、前記第３の隔室内圧力高めて前記第２のシール部を剥離し、前記第３の隔室内の第２溶液を前記第２の通路を介して前記第２の隔室に供給し、前記吸着剤を濡らして吸着作用を活性化させ、
前記第１の隔室を押圧して前記第１の隔室内圧力高めて前記第１のシール部を剥離し、前記第１の隔室内の生物組織内の核酸及びゴミが溶解されている第１溶液を前記第１の通路、前記第３の隔室及び前記第２通路を介して前記第２の隔室に供給し、前記吸着剤に前記ゴミを吸着させ、核酸が溶解している第１溶液を精製して外部に排出させる核酸を抽出することを特徴とする方法。
【発明の詳細な説明】
【技術分野】
【０００１】
実施の形態は、隔室と液供給通路とを隔離する剥離可能なシール部を有する密封型薬液容器に関する。
【背景技術】
【０００２】
密封型薬液容器には、用途に応じた種々のタイプがある。特許文献１及び特許文献２には、複数の溶液或いは薬剤が分離して隔室に格納され、隔室が脆弱なヒートシールで仕切られている密封型薬液容器が開示されている。このような密封型薬液容器では、複数の溶液或いは薬剤の混合に際して、脆弱なヒートシールが剥離されて隔室が連通され、溶液或いは薬剤が混合され、必要に応じて溶液が外部に取り出される。
【０００３】
また、密封型薬液容器として検査に供される検査容器が特許文献３及び特許文献４で知られている。引用文献３の検査容器は、閉塞壁で仕切られ、密閉された隔室を有する容器に開封キャップがねじ嵌合され、開封キャップがねじ込まれることによって閉塞壁が切断され、内容物を注出できる構成を採用している。更に、引用文献４の密封型薬液容器は、複数の隔室を利用してより複雑な処理を可能にすることが記載されている。
【先行技術文献】
【特許文献】
【０００４】
【特許文献１】特許第４３６６１３１号公報
【特許文献２】特表２０１１−５０９２１８号公報
【特許文献３】特許第５０２１３２３号公報
【特許文献４】特表２０１５−５２９０８５号公報
【発明の概要】
【発明が解決しようとする課題】
【０００５】
特許文献１に開示された密封型薬液容器においては、第１融着部によって第１及び第２空間に仕切られ、第２融着部によって、第２空間内に第３空間が仕切られている。ここで、第１融着部は、第２融着部に比べて剥離しやすいシール強度を有している。従って、第１或いは第２空間を圧迫することによって第１融着部が剥離し、第１及び第２空間の内容物が混合される。混合された溶液を排出する際には、第２空間が更に圧迫されて第２融着部が剥離されてその内の混合溶液が排出口から外部に排出される。
【０００６】
この特許文献１に開示された密封型薬液容器は、内容物の混合及び内容部の排出の工程が第１及び第２融着部のシール強度に依存している。従って、密封型薬液容器の製造において、そのシール強度の設定に困難性を伴うとともに設定されたシール強度が大きすぎる場合には、密封型薬液容器の破損を招く虞がある。シール強度が小さすぎる場合には、外部からの第２空間の圧迫に限らず、第１空間の圧迫によっても、簡単に第１融着部が剥離して内容物が混合され、或いは、第２融着部が剥離して混合溶液の排出状態となる虞がある。
【０００７】
引用文献２は、多重チャンバを有する密封型薬液容器を開示している。多重チャンバ容器では、第１チャンバ及び第２チャンバ間が永久シールによって仕切られ、第１チャンバと第３チャンバとの間及び第２チャンバと第３チャンバとの間が剥離可能なシールによって仕切られている。第１チャンバ及び第２チャンバに外圧が選択的に付されると、第１チャンバ或いは第２チャンバが第３チャンバに連通され、第１チャンバ及び／又は第２チャンバの内容物が第３チャンバの内容物に混合される。このように特許文献２の密封型薬液容器は、第１及び第２のチャンバへの選択的な外圧の付加で第１及び第２の剥離シールが選択に剥離される構成を採用している。しかし、この容器は、意図せずに第３のチャンバに外圧が印加された際に、第１及び第２の剥離シール或いは第１及び第２の剥離シールのいずれかが剥離され、意図しない内容物の混合を招く虞がある。また、特許文献１と同様にシール強度に依存して第１及び第２シールが意図せずに剥離する虞もある。
【０００８】
引用文献３の密封型薬液容器においては、第１の隔室から第２の隔室に内容物を送るためには、隔室間を隔てる隔壁をネジ込み動作により突き破る必要があり、複数の隔室を用意することで、より高度な処理を行わせようとすると、容器構造の複雑化を招き、また、複雑な処理動作が必要とされる問題がある。
【０００９】
引用文献４には、隔室間の遮断に関する記述はなく、第１の隔室から第２の隔室に内容物を送るためには、検出装置が具備するピストンロッドにより通路を閉鎖し、他の機構により隔室を押圧する必要がある。換言すれば、隔室間の内容物の移動には、押圧だけでなく通路の閉鎖を同時に行う必要があり、専用の検出装置内の機構が複雑になり、検出装置の重量増並びにコスト増を招く虞がある。また、このような容器構造では、特定の隔室内に予め試薬類を密封保持しておくことは困難であり、試薬保持用の隔室を別に用意する必要がある。結果として、容器の小型化、低コスト化を困難にするという問題もある。
【００１０】
この発明の実施形態は、上記の問題に鑑み、単純な容器構造でありながら、簡易に容器内の隔室から溶液を移動させることができる低コストの密封型薬液容器を提供することを目的の一つとする。また、この密封型薬液容器を利用した生物組織の核酸を抽出するための前処理用キット及び核酸抽出方法を提供することを目的の一つとする。
【課題を解決するための手段】
【００１１】
実施形態によれば、
プレートと、
可撓性を有し、前記プレート上に強固に接着された接着領域を有するシート状部材であって、この接着領域が前記プレート上で膨出可能な第１の隔室と、前記第１の隔室の開口部を介して連通する流出路とをそれぞれ区画しているシート状部材と、
前記第１の隔室内であって、前記開口部から前記第１の隔室に向けて突出する領域を残し、前記シート状部材により前記開口部を塞ぐように前記接着領域に比べて弱く接着され、前記第１の隔室と前記流出路との連通を遮断する第１のシール部とを備え、
前記第１の隔室の内圧上昇により前記第１のシール部を剥離することで、前記第１の隔室が膨出することを特徴とする薬液容器が提供される。
【図面の簡単な説明】
【００１２】
【図１】第１の実施の形態に係る密封型薬液容器の構造を概略的に示す正面図である。
【図２】図１に示す密封型薬液容器の断面構造をＡ−Ａ線に沿って概略的に示す断面図である。
【図３】図１に示す密封型薬液容器のシール部の剥離過程を概略的に示す模式図である。
【図４】第２の実施の形態に係る密封型薬液容器の構造を概略的に示す正面図である。
【図５】第３の実施の形態に係る密封型薬液容器の構造を概略的に示す正面図である。
【図６】第４の実施の形態に係る密封型薬液容器の構造を概略的に示す正面図である。
【図７】第５の実施の形態に係る密封型薬液容器の構造を概略的に示す正面図である。
【図８】第６の実施の形態に係る密封型薬液容器の構造を概略的に示す正面図である。
【図９】第７の実施の形態に係る密封型薬液容器の構造を概略的に示す正面図である。
【図１０】第８の実施の形態に係る密封型薬液容器の構造を概略的に示す正面図である。
【図１１】上述した種々の密封型薬液容器の構造を有する、生物組織の核酸を抽出するための実施の形態に係る前処理用キットを概略的に示す正面図である。
【図１２】図１１に示した前処理用キットのＢ−Ｂ線に沿った断面構造を概略的に示す側断面図である。
【図１３】図１１に示した前処理用キットの背面を概略的に示す背面図である。
【図１４】図１１に示した前処理用キットを装着した核酸抽出装置における処理動作を示すフローチャートである。
【図１５】図１１に示した前処理用キットを装着した、核酸を抽出する核酸抽出装置のブロックを概略的に示すブロック図である。
【図１６】図１１に示した前処理用キットを装着した核酸抽出装置における処理動作を概略的に示す側断面図である。
【図１７】図１４に示した前処理用キットを装着した核酸抽出装置における処理動作を概略的に示す側断面図である。
【図１８】図１４に示した前処理用キットを装着した核酸抽出装置における処理動作を概略的に示す側断面図である。
【図１９】上述した種々の実施の形態に係る密封型薬液容器の構造を有する、他の実施の形態に係る生物組織の核酸を抽出するための前処理用キットを概略的に示す正面図である。
【図２０】上述した種々の実施の形態に係る密封型薬液容器の構造を有する、更に他の実施の形態に係る生物・化学処理用キットを概略的に示す正面図である。
【図２１】比較例に係る密封型薬液容器の構造を概略的に示す正面図である。
【図２２】第９の実施の形態に係る密封型薬液容器の構造を概略的に示す正面図である。
【図２３】第１０の実施の形態に係る密封型薬液容器の構造を概略的に示す正面図である。
【図２４】図２１に示す密封型薬液容器、図２２及び図２３に示す密封型薬液容器の剥離特性を比較して示す表である。
【発明を実施するための形態】
【００１３】
実施の形態では、溶解溶液が入れられ、その後、動植物、微生物等の生物組織、微生物、細菌、菌類或いはウィルス（単に生物組織と称する。）が入れられて溶解され、その溶液内の核酸を抽出するための前処理用キットに、実施の形態に係る密封型薬液容器が適用されている。ここで、実施の形態に係る密封型薬液容器には、溶解溶液によって生物組織が溶解されるに代えて生物組織が溶解された溶液が注入されても良く、或いは、密封型薬液容器内において、物理的手段で生物組織が溶解されても良い。また、溶解溶液が格納される密封型薬液容器に限らず、液状の検体や試薬類を用いる検査容器或いは食品溶液等の溶液或いは流動性を有する内容物が密封されている薬液容器等の広範囲の種々の密封型薬液容器にこの実施の形態が適用され得ることに注意されたい。
【００１４】
以下、図面を参照して種々の実施の形態に係る密封型薬液容器ついて説明する。
【００１５】
（第１の実施の形態）
図１及び図２は、第１の実施の形態に係る密封型薬液容器１２の構成を概略的に示している。この密封型薬液容器１２は、検査液或いは溶液等の内容物（以下、単に溶液と称する。）が格納される上流側の第１の隔室１４及びこの第１の隔室１４に対して下流側の第２の隔室１６を有している。この密封型薬液容器１２は、剛性を有する板状のプレート（基板）３２上に可撓性を有する表面シート３４が融着されて形成（１次シール）されている。
【００１６】
第１の隔室１４は、表面シート３４が略丸味を帯びた矩形状に膨出された膨出部分１４Ａ及び表面シート３４が隔室内において板状のプレート３２に接するように潰されて変形された変形部分１４Ｂを含んでいる。表面シート３４が板状のプレート３２に強固にシール（１次シール）された接着領域でプレート３２上の領域が区画されて膨出部分が形成されている。１次シールは、例えば、シートとプレートとを熱溶着することによって一体化させている。変形部分１４Ｂには、表面シート３４の破損を招くことなく、表面シート３４を板状のプレート３２から剥離可能にシールされた２次シール部として帯状、即ち、湾曲ストライプのシール部（即ち、剥離可能な部分）２０が形成されている。このシール部（剥離部）２０は、明らかなようにシール（１次シール）に比べて十分に弱く板状のプレート３２に表面シート３４が接着されている。帯状のシール部（剥離可能な剥離部）２０は、第１の隔室１４の下流側に配置された第２の通路２２に連通可能な変形部分１４Ｂを区画し、連通路を遮断する遮断部として第１の隔室１４を第２の通路２２から隔離（遮断）している。第１の隔室１４が外部から押圧されると、第１の隔室１４内の内部圧力が増加される。そして、この圧力増加によって変形部分１４Ｂが押し広げられるように膨出され、帯状のシール部（剥離部）２０が隔室１４の底面から剥離され、膨出された変形部分１４Ｂが第２の通路２２に連通される。ここで、第１の隔室１４は、外部から押圧されると、１例として、押圧された箇所が陥没され、丸味を帯びた立方体形状を折り曲げ変形して押し広げられて膨出される。
【００１７】
第１の隔室１４では、膨出部分１４Ａが外部に開口する上流側の第１の通路１８に連通され、この第１の通路１８は、外部に開口され、その開口部（供給ポート）が閉塞蓋（キャップ）２４で開閉可能に閉塞されている。ここで、第１の通路１８は、膨出部分１４Ａに比べて狭く定められている。閉塞蓋（キャップ）２４が開口部から外された際に、密封型薬液容器１２の外部から溶液が開口部（供給ポート）を介して第１の隔室１４内に入れられ、開口部が閉塞蓋２４で塞がれる。従って、第１の隔室１４は、閉塞蓋２４及び帯状のシール部（剥離部）２０で密封され、外部から隔離された状態に維持される。
【００１８】
帯状シール部２０は、第２の通路２２の開口側を塞ぎ、第１の隔室１４内に区画された第２の通路２２に連通している拡張部２２Ａを確保している。換言すれば、帯状シール部２０は、拡張部２２Ａを第１の隔室１４内に隔離するように、第１の隔室１４内に剥離可能に延出されている。より詳細には、帯状シール部２０の両端基部２０Ａ、２０Ｂは、第２の通路２２の開口部に略一致してこの第２の通路２２の開口部をシールし、帯状シール部２０の内側に拡張部２２Ａを定めている。帯状シール部２０は、図１に示すように、第１の隔室１４内に突出している先頭部を有する逆Ｕ字状を成すように形成され、剥離し易いように緩やかに湾曲した１つの頂部を有している。後に種々の実施の形態として説明するように帯状シール部２０の頂部は、第１の隔室１４内の側が鋭く尖った先鋭部に形成されても良く、或いは、丸味を帯びた先頭部形状に形成されても良い。また、帯状シール部２０の内面は、第２の通路２２の内面に面一に形成されることが好ましいが、帯状シール部２０が形成される過程で、第２の通路２２の開口部の内面との間に僅かに段差が生じても良い。また、帯状シール部２０の基部２０Ａ、２０Ｂは、変形部分１４Ｂ内に破線で示すように第１の隔室１４の内面に沿って延出されるように形成されても良い。
【００１９】
第２の隔室１６は、第１の隔室１４と同様に、表面シート３４が略略丸味を帯びた矩形状に膨出された膨出部分１６Ａ及び表面シート３４が隔室内において板状のプレート３２に接するように変形されて潰された変形部分１６Ｂを含んでいる。第２の通路２２には、第２の隔室１６の膨出部分１６Ａが連通され、第２の隔室１６の変形部分１６Ｂは、下流側の第３の通路２６に連通されている。ここで、第２の隔室１６は、第１の隔室１４とは異なり、２次シールされたシール部（剥離部）２０が形成されないことから、全てが１次シールで形成された膨出部分１６Ａに形成されても良く、或いは、潰された変形部分１６Ｂに形成されても良い。第３の通路２６は、外部に開口する開口部（排気ポート）を有し、第２の隔室１６内の溶液を第３の通路２６及び開口部（排気ポート）を介して外部に排出することができる。溶液の排出に際しては、溶液の流入によって膨らんだ丸味を帯びた膨出体が押圧され、押圧された箇所が陥没されることによって溶液が第３の通路２６及び開口部（排気ポート）を介して外部に排出される。開口部は、閉塞蓋（キャップ）２８によって開閉可能に閉塞され、第２の隔室１６内が密閉空間にすることができ、不用意に外部環境が汚染されるような事態を防止することができる。
【００２０】
上述したように可撓性を有する表面シート３４には、予め第１及び第２の隔室１４，１６、通路１８、２２、２６及び開口部に相当する空洞領域を形成するように型押しされ、膨出された際に出現する膨出部が予め形成されている。この可撓性を有する表面シート３４は、これら空洞領以外の領域が剥離不能に板状のプレート３２に熱溶着固定或いは接着固定されて強固に１次シールされている。表面シート３４がプレート３２に１次シールされた後、表面シート３４の膨出部が全て潰され、或いは、その一部が潰されて第１の隔室１４に相当する表面シート３４の潰された部分が帯状に溶着されて帯状シール部２０が２次シールされる。この２次シールは、第１の隔室１４への圧力の増加に従って剥離可能にシールされる。２次シールは、１次シールに比べて小さな応力で剥離し易いシールに設定されるが、第１の隔室１４内に入れられ、流動する内容物によって容易に剥離し難い十分なシール力を有している。
【００２１】
上述した密封型薬液容器１２においては、閉塞蓋（キャップ）２４が開口部（入力ポート）から除去されて溶液等の内容部が第１の隔室１４内に入れられ、開口部が閉塞蓋２４で塞がれると、溶液が密封型薬液容器１２に密封される。この状態で、内部溶液に必要な処理（例えば、加熱処理、破砕処理、溶液混合処理）が施されると、第１の隔室１４内の溶液が第２の隔室１６内へ移送することができる準備が完了される。この状態において、図３に示すように第１の隔室１４に外部から押圧力Ｆが付加されると、破線で示される第１の隔室１４が実線で示すように変形されてその内の圧力が高まり、第１の隔室１４を構成する膨出部の潰された部分が矢印Ｄで示すように次第に膨らみ、帯状シール部２０の頂部に応力Ｐ１が集中して印加される。従って、帯状シール部２０の頂部或いはその付近の可撓性表面シート３４の一部が矢印Ｓで示すように板状のプレート３２から剥離し、その剥離する範囲が拡がって帯状シール部２０が板状のプレート３２から剥離される。その結果、帯状シール部２０が消出するとともに第１の隔室１４の潰された変形部分１４Ｂも完全に拡がり、通路２２が第１の隔室１４に連通される。従って、第１の隔室１４内の溶液が第２の隔室１６に流入される。第２の隔室１６内に内容物がある場合には、第２の隔室１６内で流入された溶液との混合或いは反応が生起されて溶液の排出が可能となる。混合或いは反応溶液は、閉塞蓋（キャップ）２８が取り外されることによって第３の通路２６及び開口部（排気ポート）を介して外部に排出される。
【００２２】
密封型薬液容器１２は、１次シールでは、上述したように表面シート３４とプレート３２とは、空洞部を除く、相対する面が剥離しないように強固に熱溶着されている。熱溶着で表面シート３４とプレート３２とが１次シールされる場合には、表面シート３４とプレート３２とは、同素材で作られていることが望ましく、例えば、ポリプロピレン或いはポリエチレン等の熱可塑性樹脂で作られていることが望ましい。溶着ではなく接着材等或いはその他の手段により一体化する場合は、表面シート３４とプレート３２とは、それぞれを異種素材で作られても良い。
【００２３】
図１から図３に示される密封型薬液容器１２おいて、第１の隔室１４にある所定の押圧力が加えられる場合に帯状シール部２０が比較的容易に剥離されるに対して、第２の隔室１６により大きな押圧力が加えられても帯状シール部２０が容易に剥離されない構造であることは、次のように説明される。
【００２４】
帯状シール部２０の剥離の過程では、図３に示すように、帯状シール部２０の頂部に応力Ｐ１が集中して印加されて帯状シール部２０が押し広げられて剥離される。これに対して、応力Ｐ１が印加される前に、外部からの変形圧力によって第２の隔室１６内の内部圧力が高まり、応力Ｐ１に略等しい或いは大きい応力Ｐ２が通路２２の側から帯状シール部２０に印加される。この応力Ｐ２は、変形部分１６Ｂに相当する押し広げる変形が通路２２の側に生じないこともあり、帯状シール部２０の頂部に相当する通路２２の側の端部に集中することなく、通路２２の側の帯状シール部２０の湾曲部に分散して均等に印加される。このような応力Ｐ２の印加では、帯状シール部２０の剥離を生じさせる応力集中が無いことから、帯状シール部２０は、第１の隔室１４側からの剥離に比べて第２の隔室１６側から剥離し難いこととなる。
【００２５】
尚、密封型薬液容器の搬送時等において、応力Ｐ２を生じさせない観点からは、第２の隔室１６は、膨出部を構成する表面シート３４が潰された状態に維持され、不用意に応力Ｐ２を生じさせないことが好ましい。同様に、不用意に第１の隔室１４が外部から押圧されて応力Ｐ１が生じないように第１の隔室１４が比較的剛性を有する外部被覆でその外囲部が保護された状態で保管され、搬送されることが好ましい。
【００２６】
図１〜図３に示される密封型薬液容器１２は、図４から図１０に示される第２の実施の形態から第８の形態に係るシール部２０を有する密封型薬液容器１２の構造が採用されても良い。図４から図１０を参照して第２の実施の形態から第８の形態に係る密封型薬液容器１２の構造を説明する。以下の実施の形態の説明において、図１〜図３に付した符号と同一の符号を付した箇所或いは部分は、同一の箇所或いは部分を示し、説明の簡略化のために説明を省略している。
【００２７】
（第２の実施の形態）
図４は、第２の実施の形態に係る密封型薬液容器１２を示している。この密封型薬液容器１２は、２つの頂点（先鋭部）を有するコ字形状を描くように帯状シール部２０が変形部分１４Ｂに形成されている。この帯状シール部２０は、第１の隔室１４内に第２の通路２２に連通している矩形状の拡張部２２Ａを確保し、拡張部２２Ａを第１の隔室１４内に隔離するように、第１の隔室１４内に剥離可能に延出されている。より詳細には、帯状シール部２０の両端基部２０Ａ、２０Ｂは、第２の通路２２の開口部に略一致して設けられ、帯状シール部２０は、第２通路２２の内面に略面一となるように形成されている。
【００２８】
このコ字形状の帯状シール部２０は、第１の隔室１４内の圧力の増加に伴い、その頂点の側から剥離して拡張部２２Ａが膨らみ、第１の隔室１４が第２の通路２２に連通される。また、この構造では、第２の隔室１６内の圧力が高まっても、第２の通路２２に連通する帯状シール部２０の内側（箱形内）に略均等に圧力が分散され、帯状シール部２０は、第１の隔室１４の圧力の上昇に比べて容易に剥離されることはない。
【００２９】
（第３の実施の形態）
図５は、第３の実施の形態に係る密封型薬液容器１２を示している。この密封型薬液容器１２は、半円形形状を描く先頭部を有するように帯状シール部２０が変形部分１４Ｂに形成されている。この帯状シール部２０は、第１の隔室１４内に第２の通路２２に連通している半円形の拡張部２２Ａを確保し、拡張部２２Ａを第１の隔室１４内に隔離するように、第１の隔室１４内に剥離可能に延出されている。
【００３０】
この半円形の帯状シール部２０は、第１の隔室１４内の圧力の増加に伴い、その半円の頂点の側から剥離して拡張部２２Ａが膨らみ、第１の隔室１４が第２の通路２２に連通される。この構造では、第２の隔室１６内の圧力が高まっても、第２の通路２２に連通する帯状シール部２０の内側（半円内）に略均等に圧力が分散され、帯状シール部２０は、第１の隔室１４の圧力の上昇に比べて容易に剥離されることはない。
【００３１】
（第４の実施の形態）
図６は、第４の実施の形態に係る密封型薬液容器１２を示している。この密封型薬液容器１２は、２つの頂点（先鋭部）を有する台形形状を描くように帯状シール部２０が変形部分１４Ｂに形成されている。この帯状シール部２０は、第１の隔室１４内に第２の通路２２に連通している台形の拡張部２２Ａを確保し、拡張部２２Ａを第１の隔室１４内に隔離するように、第１の隔室１４内に剥離可能に延出されている。
【００３２】
この台形の帯状シール部２０は、第１の隔室１４内の圧力の増加に伴い、その台形の２つの頂点の側から剥離して拡張部２２Ａが膨らみ、第１の隔室１４が第２の通路２２に連通される。この構造では、第２の隔室１６内の圧力が高まっても、第２の通路２２に連通する帯状シール部２０の内側（台形内）に略均等に圧力が分散され、帯状シール部２０は、第１の隔室１４の圧力の上昇に比べて容易に剥離されることはない。
【００３３】
（第５の実施の形態）
図７は、第５の実施の形態に係る密封型薬液容器１２を示している。この密封型薬液容器１２は、１つの頂点（先鋭部）を有する不等辺三角形状を描くように帯状シール部２０が変形部分１４Ｂに形成されている。この帯状シール部２０は、第１の隔室１４内に第２の通路２２に連通している不等辺三角形の拡張部２２Ａを確保し、拡張部２２Ａを第１の隔室１４内に隔離するように、第１の隔室１４内に剥離可能に延出されている。
【００３４】
この三角形の帯状シール部２０は、第１の隔室１４内の圧力の増加に伴い、その台形の２つの頂点の側から剥離して拡張部２２Ａが膨らみ、第１の隔室１４が第２の通路２２に連通される。この構造では、第２の隔室１６内の圧力が高まっても、第２の通路２２に連通する帯状シール部２０の内側（三角形内）に略均等に圧力が分散され、帯状シール部２０は、第１の隔室１４の圧力の上昇に比べて容易に剥離されることはない。
【００３５】
（第６の実施の形態）
図８は、第６の実施の形態に係る密封型薬液容器１２を示している。この密封型薬液容器１２は、２つの頂点を有する逆Ｗ形状を描くように帯状シール部２０が変形部分１４Ｂに形成されている。この帯状シール部２０は、第１の隔室１４内に第２の通路２２に連通している台形の拡張部２２Ａを確保し、拡張部２２Ａを第１の隔室１４内に隔離するように、第１の隔室１４内に剥離可能に延出されている。
【００３６】
この逆Ｗ形の帯状シール部２０は、第１の隔室１４内の圧力の増加に伴い、その台形の２つの頂点の側から剥離して拡張部２２Ａが膨らみ、第１の隔室１４が第２の通路２２に連通される。この構造では、第２の隔室１６内の圧力が高まっても、第２の通路２２に連通する帯状シール部２０の内側（逆Ｗ形内）に略均等に圧力が分散され、帯状シール部２０は、第１の隔室１４の圧力の上昇に比べて容易に剥離されることはない。
【００３７】
（第７の実施の形態）
図９は、第７の実施の形態に係る密封型薬液容器１２を示している。この密封型薬液容器１２は、１つの頂点（先鋭部）を有する等辺三角形状を描くように帯状シール部２０が変形部分１４Ｂに形成されている。この帯状シール部２０は、第１の隔室１４内に第２の通路２２に連通している等辺三角形の拡張部２２Ａを確保し、拡張部２２Ａを第１の隔室１４内に隔離するように、第１の隔室１４内に剥離可能に延出されている。
【００３８】
この三角形の帯状シール部２０は、第１の隔室１４内の圧力の増加に伴い、その台形の２つの頂点の側から剥離して拡張部２２Ａが膨らみ、第１の隔室１４が第２の通路２２に連通される。この構造では、第２の隔室１６内の圧力が高まっても、第２の通路２２に連通する帯状シール部２０の内側（三角形内）に略均等に圧力が分散され、帯状シール部２０は、第１の隔室１４の圧力の上昇に比べて容易に剥離されることはない。
【００３９】
（第８の実施の形態）
図１０は、第８の実施の形態に係る密封型薬液容器１２を示している。この密封型薬液容器１２は、１つの頂点（先鋭部）を有する山形形状を描くように帯状シール部２０が変形部分１４Ｂに形成されている。この帯状シール部２０は、第１の隔室１４内に第２の通路２２に連通している山形形状の拡張部２２Ａを確保し、拡張部２２Ａを第１の隔室１４内に隔離するように、第１の隔室１４内に剥離可能に延出されている。
【００４０】
この山形形状の帯状シール部２０は、第１の隔室１４内の圧力の増加に伴い、その台形の２つの頂点の側から剥離して拡張部２２Ａが膨らみ、第１の隔室１４が第２の通路２２に連通される。この構造では、第２の隔室１６内の圧力が高まっても、第２の通路２２に連通する帯状シール部２０の内側（山形形状内）に略均等に圧力が分散され、帯状シール部２０は、第１の隔室１４の圧力の上昇に比べて容易に剥離されることはない。
【００４１】
図１〜図１０に示した密封型薬液容器１２は、種々の用途に適用することができ、特に外部環境への内容物の飛散を防止することが重要視される生物組織の核酸を抽出する前処理用キットに適用することができる。以下に、密封型薬液容器１２の構造が採用された前処理用キットの実施の形態について説明する。また、以下の実施の形態の説明においても、図１〜図１０に付した符号と同一の符号を付した箇所或いは部分は、同一の箇所或いは部分を示し、説明の簡略化のために説明を省略している。
【００４２】
（前処理用キットの実施の形態）
図１１、図１２及び図１３は、第９実施の形態として、細菌やウィルス等の生物組織の核酸を抽出し、精製するための前処理用キットを示している。
【００４３】
前処理用キット４２は、検体通路部４５、溶解室部４４、溶液通路５２、処理液保存室部４６、処理液通路５４、精製室部４８、チャネル溝６２、回収室部７０及び回収通路７２を備え、これらは、図１１及び図１２に示すように上流側から下流側に向けて配置されている。この前処理用キット４２は、上述した密封型薬液容器１２と同様に剛性を有する板状のプレート３２上に可撓性を有する表面シート３４が気密に強圧着シールされるように融着（熱溶着）されている。溶解室部４４、処理液保存室部４６、精製室部４８及び回収室部７０は、第１及び第２の隔室１４と同様に可撓性を有する表面シート３４が型押しされて形成され、膨らませた際に略丸味を帯びた矩形状の膨出部を形成可能に成形される。検体通路部４５、溶液通路５２、処理液通路５４及び回収通路７２も同様に表面シート３４が型押しされ、溶液がその内を流通できるようにチューブ状に形成されている。また、チャネル溝６２は、図１２及び図１３に示すように板状プレート３２の背面側に形成され、背面シート７４で被覆されている。この背面シート７４は、板状プレート３２の背面に熱溶着によって強圧着シールされてチャネル溝６２からの溶液の外部への流失が防止される。
【００４４】
板状プレート３２は、既に述べたようにポリプロピレン若しくは類似の樹脂材料で形成されている。表面シート３４は、透明な樹脂フイルムで作られ、第１及び第２の隔室１４、１６と同様にプッシュロッド（図示せず）で膨出部を押し潰すことができるように可撓性が与えられている。この表面シート３４は、溶着でプレート３２にシールされる場合には、表面シート３４は、プレート３２と同一素材で作られ、例えば、ポリプロピレン或いはポリエチレン等の熱可塑性樹脂で作られる。溶着ではなく接着材等或いはその他の手段により一体化する場合は、表面シート３４とプレート３２とは、夫々を異種素材とすることができる。
【００４５】
溶解室部４４には、チューブ状の連通通路部４５に連結され、連通通路部４５の開口部から生物組織を溶解する界面活性剤等を含む溶解液を収納することができる。連通通路部４５の開口部は、蓋部２４で閉塞され、核酸抽出時には、蓋部２４が取り外されて外部から生物組織が溶解室部４４に入れられ、生物組織が溶解液で溶解されてその内の核酸（ＤＮＡ）が溶液中に溶出される。ここで、溶解室部４４には、溶解溶液が収納されず、単なる試薬等の溶液が収納されても良い。このように試薬等の溶液が収納される前処理用キット４２では、前処理用キット４２外で生物組織が破砕され、破砕された生物組織がこの溶解室部４４に入れられ、溶液と混合されても良い。また、溶解室部４４内に生物組織を入れた後、この溶解室部４４内で生物組織が外部からの超音波振動或いは超音波振動で振動されるビーズによって破砕され、破砕された生物組織から核酸（ＤＮＡ）が溶解室部４４内の溶液に溶出されても良い。
【００４６】
溶解室部４４は、第１及び第２の隔室１４と同様に、膨出された膨出部分４４Ａ及び表面シート３４が隔室内において板状のプレート３２に接するように潰されて変形された変形部分４４Ｂを有している。変形部分４４Ｂには、表面シート３４の破損を招くことなく、表面シート３４を板状のプレート３２から剥離することができる剥離可能な湾曲ストライプ部、即ち、帯状のシール部２０−１が形成されている。帯状のシール部（剥離部）２０−１は、下流側の溶液通路５２に連通している拡張部５２Ａを確保し、拡張部５２Ａを溶解室部４４内に隔離するように、溶解室部４４内に剥離可能に延出されている。従って、下流側の溶液通路５２は、シール部（剥離部）２０−１によって溶液通路５２から隔離されている。帯状のシール部（剥離部）２０−１は、図１〜図１０を参照して説明した帯状のシール部（剥離部）２０に相応し、種々の形態を取ることができる。
【００４７】
この溶解室部４４が外部から押圧されると、溶解室部４４内の圧力が増加される。そして、この圧力増加によって変形部分４４Ｂが膨出され、帯状のシール部（剥離部）２０−１が溶解室部４４の底面から剥離され、膨出された変形部分４４Ｂが溶液通路５２に連通される。ここで、溶解室部４４は、外部から押圧されると、押圧された箇所が陥没され、折り曲げ変形した膨出体に膨らむ。
【００４８】
処理液保存室部４６には、吸着剤を濡らすための処理液（バッファ溶液）が保存され、精製室部４８には、後の処理工程における反応を阻害する反応阻害物質、或いは、不純物としてのゴミ等を吸着する吸着剤７８が収容されている。ここで、吸着剤７８としては、例えば、特許第５１７３４０６号に開示される複合吸収剤があり、この複合吸収剤を濡らして安定的な吸着作用を与える処理液７６（バッファ溶液）としては、例えば、Tris-HCL緩衝液がある。しかしながら、吸着剤７８及び処理液７６は、これらに限られるものではなく、濡らすことによって吸着作用を発揮する吸着剤及び吸着剤を濡らす処理液であれば良いことは明かである。
【００４９】
処理液保存室部４６及び精製室部４８も、例えば、膨らますことによって丸味を帯びた直方体の外観を成す変形可能な膨出部に形成されている。処理液保存室部４６は、溶解室部４４と同様に、膨出された膨出部分４６Ａ及び表面シート３４が隔室内において板状のプレート３２に接するように潰されて変形された変形部分４６Ｂを有している。変形部分４６Ｂには、変形部分４４Ａと同様に、表面シート３４の破損を招くことなく、表面シート３４を板状のプレート３２から剥離可能な帯状のシール部（剥離部）２０−２が形成されている。帯状のシール部（剥離部）２０−２は、下流側の精製室部４８に連通可能な処理液保存室部４６を区画し、処理液保存室部４６を処理液通路５４から隔離している。帯状のシール部（剥離部）２０−２は、帯状のシール部（剥離部）２０−１と同様に、図１〜図１０を参照して説明した帯状のシール部（剥離部）２０に相応し、種々の形態をとることができる。
【００５０】
この帯状シール部２０−２は、処理液保存室部４６内に処理液通路５４に連通している拡張部５４Ａを確保し、拡張部５４Ａを処理液保存室部４６内に隔離するように、処理液保存室部４６内に剥離可能に延出されている。この帯状シール部２０−２は、図３を参照して説明したように、処理液保存室部４６内の圧力の増加に伴い、その頂点の側から剥離して拡張部５４Ａが膨らみ、処理液保存室部４６が処理液通路５４に連通される。帯状シール部２０−１については、処理液保存室部４６内の圧力が高まっても、処理液通路５４に連通する帯状シール部２０−１の内側に略均等に圧力が分散される。従って、帯状シール部２０−１は、処理液保存室部４６の圧力の上昇があっても、帯状シール部２０−２に比べて容易に剥離されることはない。
【００５１】
精製室部４８に対面する板状プレート３２には、貫通孔６０が設けられ、この貫通孔６０は、板状プレート３２の裏面に設けられたチャネル溝６２に連通されている。精製室部４８内の貫通孔６０上には、ＰＶＤＦ（ポリフッ化ビニリデン）で作られたフィルタ膜６６が設けられ、精製室部４８内で吸着剤に吸着されなかった検査対象の核酸を含む精製された溶液がフィルタ膜６６を介してチャネル溝６２に流入される。フィルタ膜６６では、吸着材片や吸着されなかった不純物や塵埃（以下単にゴミ等と称する）の通過が阻止され、ゴミ等が除去された核酸を含む溶液が透明な背面シート７４で被覆されたチャネル溝６２に流入される。チャネル溝６２の流出端は、板状プレート３２に穿けられた貫通孔６８に連通され、この貫通孔６８は、回収室部７０内に開口されている。ゴミ等が除去された核酸を含む精製溶液は、この回収室部７０内に流入されて精製された検体溶液として回収保存される。ここで、精製溶液のスムーズな流入を助けるために回収室部７０は、予め膨出部が潰された状態に維持され、精製溶液の流入によって膨らむことが好ましい。また、回収室部７０の膨出部は、完全に潰された状態に無くとも、回収室部７０内に精製溶液が流入された際或いは回収室部７０がプッシュされた際に、回収室部７０の気密が破壊されないような余裕度を有することが好ましい。
【００５２】
回収室部７０は、回収通路７２に連通され、回収通路７２の開口には、閉塞蓋２８が被せられて回収通路７２が塞がれている。閉塞蓋２８は、板状プレート３２と同様にポリプレピレン等の樹脂で別体に形成される。
【００５３】
回収室部７０は、溶解室部４４と同様に、膨出された膨出部分７０Ａ及び表面シート３４が隔室内において板状のプレート３２に接するように潰されて変形された変形部分７０Ｂを有している。変形部分７０Ｂには、表面シート３４の破損を招くことなく、表面シート３４を板状のプレート３２から剥離可能な帯状のシール部（剥離部）２０−３が形成されている。帯状のシール部（剥離部）２０−３は、下流側の回収通路７２に連通可能な拡張部７２Ａを変形部分７０Ｂに隔離し、回収室部７０を回収通路７２から分離している。帯状のシール部（剥離部）２０−３は、帯状のシール部（剥離部）２０−１と同様に、図１〜図１０を参照して説明した帯状のシール部（剥離部）２０に相応し、種々の形態をとることができる。
【００５４】
上述した核酸前処理用キット４２が製造される際には、フィルタ膜６６上の精製室部４８内の空間に、顆粒状の吸着剤７８が収容された状態で、表面シート２７と板状プレート３２とが強圧着されて吸着剤７８が精製室部４８に収容される。また、核酸前処理用キット４２の製造過程において、処理液保存室部４６に処理液（バッファ溶液）が注入保存される。注入保存に際しては、１例として、板状プレート３２に貫通孔（図示せず）が設けられ、この貫通孔を介して処理液が処理液保存室部４６に収納された後に、貫通孔が封止される。そして、核酸前処理用キット４２の保存時或いは搬送時に、処理液保存室部４６を構成する膨出部の圧迫によって処理液保存室部４６から処理液（バッファ溶液）が精製室部４８に漏れ出ないように、この処理液保存室部４６が剛性を有する保護カバー（図示せず）で保護されることが好ましい。また、核酸前処理用キット４２は、未使用状態において、溶解室部４４及び回収室部７０は、溶液の流入によって膨出されるように潰され、外部から液を受け入れ可能としている。
【００５５】
上述した核酸前処理用キット４２は、図１４に示す手順に従って、核酸抽出処理に利用される。核酸の抽出時には、蓋部２４が取り外されて溶解室部４４の開口部が開放される。また、処理液保存室部４６が不用意に押圧されないように処理液保存室部４６を覆っている保護カバー（図示せず）が除去され、処理液保存室部４６が押圧可能に外部に露出される。そして、核酸前処理用キット４２が図１５に示すプッシュ機構８２，８４，８６を有する抽出装置に装着されて核酸の抽出処理が開始（Ｓ０２）される。プッシュ機構８２、８４、８６は、溶解室部４４、処理液保存室部４６及び回収室部７０をプッシュするロッド（いずれも図示せず）を有し、駆動制御部８８がプッシュ機構８２、８４、８６を駆動制御し、対応するロッドが溶解室部４４、処理液保存室部４６及び回収室部７０をプッシュすることができる。
【００５６】
処理液保存室部４６の開口部からは、溶解溶液が注入され、その後、検体としての生物組織が溶解室部４４に注入される（Ｓ０４）。その後、蓋部２４が開口部に取り付けられて溶解室部４４が密閉される。その結果、密閉された溶解室部４４内において、生物組織が溶液によって溶解されて核酸（ＤＮＡ）が溶液中に溶解される。この生物組織の溶解工程（Ｓ０４）においては、検査対象の核酸（ＤＮＡ）及びゴミを含む溶液が溶解室部４４内に生成される。この溶解工程（Ｓ０４）では、溶解室部４４が加熱されて生物組織が熱せられてより生物組織が溶解し易い処理が実行されても良い。この加熱処理は、好ましくは、次工程に移行される前に終了される。
【００５７】
生物組織の溶解中において、図１６に示すように、プッシュ機構８２が作動して処理液保存室部４６が矢印Ｐ１で示すように、モータ駆動されたロッド（図示せず）でプッシュされて処理液保存室部４６が押し潰される（Ｓ０６）。その結果、処理液保存室部４６内の圧力が高まり、シール部（剥離部）２０−２が剥離されて処理液７６が処理液通路５４を介して精製室部４８に供給されて吸着剤７８が処理液７６で濡らされる（Ｓ０８）。ここで、処理液保存室部４６が外部から外部装置のロッド等で押される際には、シール部（剥離部）２０−１によって溶液通路５２が閉じた状態に維持され、処理液保存室部４６内の処理液の圧力によって、シール部（剥離部）２０−２のシールが開放され、処理液が精製室部４８に供給される。処理液７６の供給は、精製室部４８内の顆粒状の吸着剤７８を処理液で濡らすこととなり、吸着剤の吸着作用を活性化することとなる。
【００５８】
吸着剤の活性化処理が完了すると、溶液から検査対象の核酸とゴミとが分離される分離工程が実施される。分離工程では、プッシュ機構８２が作動して図１７に矢印Ｐ２で示されるように、溶解室部４４が外部ロッド（図示せず）で押し潰される。従って、溶解室部４４内の圧力が高まり、溶解室部４４内の溶液がシール部２０−１を剥離して溶液通路５２を開放し、溶液が溶液通路５２を介して処理液保存室部４６に流入される（Ｓ１０）。溶液の処理液保存室部４６への流入に伴い、この処理液保存室部４６を構成する膨出部が膨らむが、処理液保存室部４６が再び外部ロッドで押し潰される。従って、溶液は、処理液保存室部４６を通過し、処理液通路５４に流入され、処理液通路５４を介して精製室部４８に供給される（Ｓ１２）。ここで、吸着剤の活性化処理時に処理液保存室部４６がプッシュロッドによって押し潰され、プッシュロッドがこのままに維持されて処理液保存室部４６が押し潰された状態に維持され、溶解室部４４から溶液通路５２、処理液保存室部４６、処理液通路５４を介して核酸及びゴミ等が溶解されている溶液が精製室部４８に供給されても良い。
【００５９】
精製室部４８においては、溶液に含まれる不純物としてのゴミが吸着剤７８に吸着される。この精製工程では、溶解室部４４及び処理液保存室部４６を構成する膨出部が押し潰される際に、溶液が精製室部４８内のフィルタ６６及び貫通孔６０を通過してチャネル溝６２に向けられる。ここで、フィルタ膜６６は、吸着剤７８吸着されなかったゴミ等の通過を阻止し、ゴミ等が除去された検査対象の核酸を含む溶液がフィルタ膜６６を介してチャネル溝６２に流入される。チャネル溝６２に流入した溶液は、回収室部７０内に流入し、回収室部７０で回収される。
【００６０】
回収室部７０に所定量の溶液が流入されると、核酸前処理用キット４２から核酸を含む溶液を取り出すために、回収チューブ部４６の外周に設けた閉塞蓋２８が取り外される。その後、プッシュ機構８６が作動して図１８に矢印Ｐ３で示すように、プッシュロッドで回収室部７０を構成する膨出部が押し潰される。従って、回収室部７０の押圧によってシール部２０−３が剥離され、その内の溶液が回収通路７２を介して外部の容器（図示せず）に取り出されて（Ｓ１６）抽出処理が終了される（Ｓ１８）。外部容器では、１例として核酸増幅及び核酸検出のための工程が実行され。
【００６１】
上述したような密閉タイプの前処理用キット４２にあっては、生物組織の溶解から核酸の抽出までを自動化することが可能で、しかも、外部環境の汚染（コンタミネーション）を防止することができる。特に、密閉タイプの前処理用キット４２は、ディスポーザルタイプで、そのまま廃棄可能であることから、より外部環境に対する汚染防止が容易となる。しかも、単純な構造でありながら、確実に一方向に向けてシールを剥離して流通路を確保するシール構造を採用していることから、外部環境の汚染（コンタミネーション）を防止しながら、確実に核酸の抽出精製が可能とすることができる。
【００６２】
（前処理用キットの他の実施の形態）
図１９は、他の実施の形態に係る生物組織の核酸を抽出するための前処理用キットを示している。図１１に示す前処理用キットでは、溶解室部４４、処理液保存室部４６、精製室部４８及び回収室部７０が上流側から下流側に向けて直列配置されているが、図１９示す前処理用キットでは、回収室部７０の上流側が通路５４−１及び５４−２に分岐され、回収室部７０に夫々通路５４−１及び５４−２を介して処理液保存室部４６及び精製室部４８が並列に連結される。精製室部４８の上流側には、通路５２を介して溶解室部４４が連結され、処理液保存室部４６の上流側は、閉塞されている。そして、溶解室部４４の変形部４４Ｂ及び処理液保存室部４６の変形部４６Ｂには、帯状のシール部（剥離部）２０−１及び２０−２が形成されている。
【００６３】
このように隔室が配置された前処理用キットにおいては、溶解室部４４内の溶液及び処理液保存室部４６内の処理液、例えば、添加剤液は、溶解室部４４及び処理液保存室部４６を別個独立のプッシュすることによって、溶液及び処理液を別個独立に精製室部４８及び回収室部７０に供給することができ、比較的容易に複雑な処理或いは反応を実現することができる。しかも、溶解室部４４から回収室部７０への送液によって回収室部７０内の内圧が一時的にあるいは定常的に高まったとしても、処理液保存室部４６と回収室部７０との間は、回収室部７０側からシール部（剥離部）２０−２を剥離して開放することが困難であり、任意のタイミングで処理液保存室部４６を押圧することで処理液としての添加剤液を回収室部７０に送ることができる。
【００６４】
（生物・化学処理用キットの実施の形態）
図２０は、更に他の実施の形態に係る生物・化学処理用キットを示している。この生物・化学処理用キット１１０は、複数の隔室部１０２、１０３、１０４、１０６を有し、隔室部１０２、１０３、１０４、１０６が通路１１４、１１６、１１８、１２０を介して反応室部１１２に連結されている。隔室部１０２、１０３、１０４、１０６内には、隔室部１０２、１０３、１０４、１０６を区画するシール部（剥離部）２０−４、２０−５、２０−６、２０−７が形成されている。シール部（剥離部）２０−４、２０−５、２０−６、２０−７は、シール部２０−１と同様に通路１１４、１１６、１１８、１２０側の圧力上昇で容易に開くことがなく、隔室部１０２、１０３、１０４、１０６の夫々の内部圧力の上昇によって比較的容易に剥離されて開成される構造を有している。
【００６５】
図２０に示される生物・化学処理用キットでは、夫々図示しない供給口から隔室部１０２、１０３、１０４、１０６に種々の反応溶液、添加剤液、洗浄溶液、検体溶液等が格納される。そして、任意の順序で隔室部１０２、１０３、１０４、１０６がプッシュされることによってシール部（剥離部）２０−４、２０−５、２０−６、２０−７が剥離される。従って、外部から閉塞された生物・化学処理用キットにおいて、種々の反応溶液、添加剤液、洗浄溶液、検体溶液等を反応室部１１２内に任意の順序で供給して混合或いは反応させることができる。しかも、反応室部１１２内の圧力の上昇に起因して、シール部（剥離部）２０−４、２０−５、２０−６、２０−７が剥離することを制限することができる。
【００６６】
（比較例と第９及び第１０の実施の形態との比較）
図２１は、比較例に係る前処理用キットの一部を示し、図２２及び図２３は、第９及び第１０の実施の形態に係る前処理用キットの一部を抜き出して示している。いずれの前処理用キットも、丸められている両端部を有する膨出された半円柱状に形成された隔室部４４、４６、４８を備えている。図２１に示される比較例に係る前処理用キットでは、隔室部４４、４６を連結する通路５２及び隔室４６、４８を連結する通路５４に直線状に横切るシール部（剥離部）１３２が設けられて通路５２、５４が遮断されている。これに対して、図２２に示される第９の実施の形態に係る前処理用キットでは、隔室部４４、４６は、両端が丸められた膨出半円柱状に形成されている。また、隔室部４４、４６の下流側には、夫々変形部分４４Ｂ、４６Ｂが設けられている。この変形部分４４Ｂ、４６Ｂは、潰されて円弧状に変形されている。変形部分４４Ｂ、４６Ｂに帯状シール部（剥離部）２０−１、２０−２が通路５２、５４の開口を塞ぐように延出されている。また、図２３に示される第１０の実施の形態に係る前処理用キットでは、隔室部４４、４６は、同様に、両端が丸められた膨出半円柱状に形成されている。また、隔室部４４、４６の下流側には、夫々変形部分４４Ｂ、４６Ｂが設けられている。この変形部分４４Ｂ、４６Ｂは、潰されて変形されることによって下流側に向けて拡張され、引き延ばされている三日月形状に形成されている。変形部分４４Ｂ、４６Ｂに帯状シール部（剥離部）２０−１、２０−２が通路５２、５４の開口を塞ぐように延出されている。
同様に両端が丸められた膨出半円柱状に形成されている。
潰されて三日月形状を下流側に向けて引き延して膨らませるように変形した変形部分４４Ｃ、４６Ｃが設けられ、この膨らんだ三日月状の変形部分４４Ｃ、４６Ｃに帯状シール部２０−１、２０−２が同様に通路５２、５４の開口を塞ぐように延出されている。ここで、図２３に示される膨らんだ三日月状のをなす変形部分４４Ｃ、４６Ｃは、図２２に示される円弧状の変形部分４４Ｂ、４６Ｂに比べて広い面積を有し、通路５４は、上流側に向けて通路幅を拡幅しながら隔室にむけて緩やかに広げられ、広げられた開口を塞ぐように帯状シール部２０−２が配置されている。従って、図２３に示される帯状シール部２０−２では、その突起部分には、図２２に示される帯状シール部２０−２の突起部分よりもより大きな応力が与えられる。
【００６７】
尚、上述した実施の形態と同様に、隔室部４４、４６、４８及び通路５２、５４は、１次シールで区画され、帯状シール部２０−１、２０−２、１３２、１３４は、剥離可能に２次シールでプレート３２に融着される。
【００６８】
図２４に示す表は、隔室部４６に与えられた押圧によって隔室内圧力が上昇され、隔室部４６に応力が作用する構造解析モデルをシュミレーションした結果として示している。表には、隔室が形成されたシートを模擬した比較例並びに第９及び第１０の実施の形態９及１０の数値解析モデルに関して、シート３４に作用する相当応力を比較して示している。この表には、シート圧ｔ［ｍｍ］、相当応力［Ｍpa］及び応力比［％］との関係が示されている。ここで、２次シールの項目は、変形部分４４Ｂの帯状シール部２０−２に付加される相当応力［Ｍpa］を示し、Ｍａｘの項目は、隔室部４６内に付される最大の相当押力の値を示している。この最大の相当押力は、図２１、図２２及び図２３に矢印Ｍａｘで示されている箇所の応力値に相当する。また、応力比は、２次シールの相当応力に対する最大相当応力Ｍａｘの比と定義され、この値が大きい程、１次シールの破損を招くことなく、２次シールされた帯状シール部２０−１、２０−２、１３２、１３４が剥離し易い構造でことを示している。
【００６９】
数値解析モデルの諸条件は、次のように設定されている。
【００７０】
シート３４は、ポリプロピレンで作られている数値解析モデルとしている。従って、縦弾性係数は、代表的な熱可塑性樹脂としてポリプロピレンの数値を使用している。シート３４の寸法は、幅２０ｍｍ、長さ（高さ）５０ｍｍ、厚み０．１５ｍｍに設定している。隔室部４６のサイズは、幅１０ｍｍ、長さ（高さ）１４ｍｍ、奥行き５ｍｍの両端が丸められた略半円柱状で、両端の半円部は、半径（Ｒ＝５ｍｍ）の円弧を有する半球形状に設定されている。また、通路５２、５４の幅は、２ｍｍとしている。帯状シール部２０−１、２０−２、１３２、１３４の遮断部（帯状部）の幅は、溶液が流れる方向（上下流方向）に沿って１ｍｍに設定されている。境界条件として膨出部周囲のシール部（１次シール部）及び帯状シール（２次シール部）部２０−１、２０−２は、プレート３２上に剥離可能に固定され、膨出部内の中央隔室４６の内圧は、押し広げる向きに５０ｋＰａが与えられるものと仮定している。
【００７１】
図２４に示す表において、２次シールの相当応力が下流側の遮断部として機能する帯状シール部２０−２、１３４の応力値を示しており、相当応力の数値が大きい程遮断部が剥離しやすいことを示している。図２１に示す解析モデルでは、２次シールの相当応力が０．５３ＭＰａで、応力比が４．００％であり、ほとんど応力が作用されず、剥離しにくい状態であることがわかる。これに対して、図２２に示す解析モデルでは、２次シールの相当応力が１０．６ＭＰａであり、図２１に示す解析モデルの２０倍程度にまで上昇し、応力比が５９．２０％の値であり、より剥離しやすい構造であることが理解される。更に、図２３に示す解析モデルでは、２次シールの相当応力が１４．７ＭＰａであり、応力比が６１．３０％であり、図２２に示す解析モデルに比べて、遮断部上流側の通路５４の幅（シールされる開口幅）を広くすることで剥離しやすくなることが判明している。また、いずれの解析モデルにおいても、上流側遮断部の応力値は、１ＭＰａ以下と小さく、剥離しにくい状態にある。以上の結果から、実施の形態に係る密閉容器では隔室４６の押圧という単純な動作により、任意の方向の遮断部を容易に開放し得ることができる。
【００７２】
以上のように、この実施の形態の検査容器によれば、単純な容器構造でありながら、簡易な方法で内容物の隔室間移動を実現することができ、低コスト化可能な検査用密封型薬液容器及び検査装置を提供することを可能にしている。
【００７３】
この発明の実施形態は、上記の問題に鑑み、単純な容器構造でありながら、簡易に容器内の隔室から溶液を移動させることができる低コストの密封型薬液容器を提供することを目的の一つとする。また、この密封型薬液容器を利用した生物組織の核酸を抽出するための前処理用キット及び核酸抽出方法を提供することを目的の一つとする。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１２…薬液容器、１４、１６…隔室、１４Ａ、１６Ａ…膨出部分、１４Ｂ、１６Ｂ…変形部分、２０、２０−１〜２０−７…シール部、１８、２２、２６…通路、２２Ａ…拡張部、２４、２８…閉塞蓋、３２…プレート、３４…シート、４２…前処理用キット、４４…溶解部、４４Ａ…膨出部分、４４Ｂ…変形部分、４５…検体通路部、４６…処理液保存室部、４６Ａ…膨出部分、４６Ｂ…変形部分、４８…精製室部、５２…溶液通路、５４…処理液通路、５４−１、５４−２…通路、５４Ａ…拡張部、６０…貫通孔、６２…チャネル溝、６６…フィルタ膜、７０…回収室部、７０Ａ…膨出部分、７０Ｂ…変形部分、７２…回収通路、７２Ａ…拡張部、７４…背面シート、７６…処理液、７８…吸着剤、８２、８４、８６…プッシュ機構、８８…駆動制御部、１０２、１０３、１０４、１０６…隔室部、１１４、１１６、１１８、１２０…通路
【図１】
2018057844.tif 000003
【図２】
2018057844.tif 000004
【図３】
2018057844.tif 000005
【図４】
2018057844.tif 000006
【図５】
2018057844.tif 000007
【図６】
2018057844.tif 000008
【図７】
2018057844.tif 000009
【図８】
2018057844.tif 000010
【図９】
2018057844.tif 000011
【図１０】
2018057844.tif 000012
【図１１】
2018057844.tif 000013
【図１２】
2018057844.tif 000014
【図１３】
2018057844.tif 000015
【図１４】
2018057844.tif 000016
【図１５】
2018057844.tif 000017
【図１６】
2018057844.tif 000018
【図１７】
2018057844.tif 000019
【図１８】
2018057844.tif 000020
【図１９】
2018057844.tif 000021
【図２０】
2018057844.tif 000022
【図２１】
2018057844.tif 000023
【図２２】
2018057844.tif 000024
【図２３】
2018057844.tif 000025
【図２４】
2018057844.tif 000026